(57)【要約】【課題】周囲の大気温度に作用されず、利用者が常時安定した濃度のラドンを吸入できるようにして、利用者がラドン温泉の湯治と同様の効果を得ることができるようにする。【解決手段】湯治箱１は、上部に開口部２３を有し、内部に放射性物質含有鉱石２１及び水２２を収容するラドン発生容器２と、ラドン発生容器２の開口部２３に脱着可能に取り付けられ、開口部２３を密閉できるようになっている蓋部材２４と、ラドン発生容器２の内部と外部とを連通するラドン導出管２０と、ラドン発生容器２を加熱するシートヒータ１４と、ラドン発生容器２を内部に収容すると共に、シートヒータ１４を設置する容器収納ボックス３と、ラドン発生容器２の外部に延ばしたラドン導出管２０の途中に配置され、ラドン導出管２０を開閉する開閉弁１８と、を備えている。【選択図】図１
2017154562.tif 000002
【特許請求の範囲】
【請求項１】
上部に開口部を有し、内部に放射性物質含有鉱石及び水を収容するラドン発生容器と、
前記ラドン発生容器の前記開口部に脱着可能に取り付けられ、前記開口部を密閉できるようになっている蓋部材と、
前記ラドン発生容器の内部と外部とを連通するラドン導出管と、
前記ラドン発生容器を加熱する容器加熱手段と、
前記ラドン発生容器を内部に収容すると共に、前記容器加熱手段を設置する容器収納ボックスと、
前記ラドン発生容器の外部に延ばした前記ラドン導出管の途中に配置され、前記ラドン導出管を閉じることによって前記ラドン発生容器内のラドンの導出を停止し、前記ラドン導出管を開くことにより前記ラドン発生容器内のラドンの導出を可能にする開閉弁と、
を備えたことを特徴とする湯治箱。
【請求項２】
前記容器収納ボックスは、複数の車輪によって移動可能に支持されたキャスター台上に設置される、
ことを特徴とする請求項１に記載の湯治箱。
【請求項３】
前記容器収納ボックスは、前記キャスター台上に単数又は複数の架台を介して設置される、
ことを特徴とする請求項２に記載の湯治箱。
【請求項４】
前記容器収容ボックスは、脱着可能な扉が上部に設置され、前記扉が取り外された状態で前記ラドン発生容器が出し入れされる、
ことを特徴とする請求項１乃至３のいずれかに記載の湯治箱。
【請求項５】
前記容器加熱手段がヒータであり、前記ヒータが前記容器収納ボックスに着脱可能に取り付けられた、
ことを特徴とする請求項１乃至４のいずれかに記載の湯治箱。
【請求項６】
前記容器収容ボックスは、前記ラドン発生容器を収容する空間の底部側に前記ヒータが配置された、
ことを特徴とする請求項５に記載の湯治箱。
【請求項７】
前記容器収容ボックスは、前記ラドン発生容器を取り囲む壁が断熱材で形成されると共に、前記扉が断熱材で形成された、
ことを特徴とする請求項４に記載の湯治箱。
【請求項８】
前記ラドン発生容器内を冷却する冷却手段を備えた、
ことを特徴とする請求項１に記載の湯治箱。
【請求項９】
前記容器加熱手段は、前記ラドン発生容器内を冷却する冷却手段に切り替えることができるようになっている、
ことを特徴とする請求項１に記載の湯治箱。
【請求項１０】
前記容器収納ボックスは、複数の車輪によって移動可能に支持された、
ことを特徴とする請求項１に記載の湯治箱。
【請求項１１】
上部に開口部を有し、内部に放射性物質含有鉱石及び水を収容するラドン発生容器と、
前記ラドン発生容器の前記開口部に脱着可能に取り付けられ、前記開口部を密閉できるようになっている蓋部材と、
前記ラドン発生容器の内部と外部とを連通するラドン導出管と、
前記ラドン発生容器を加熱する容器加熱手段と、
前記ラドン発生容器を内部に収容すると共に、前記容器加熱手段を設置する容器収納ボックスと、
前記ラドン導出管の途中に配置されたポンプと、
を備え、
前記ポンプは、作動時に、前記ラドン発生容器内の気体を吸引して前記ラドン導出管に送り出す、
ことを特徴とする湯治箱。
【請求項１２】
前記ポンプと前記ラドン発生容器との間の前記ラドン導出管の途中には、除菌手段を収容した除菌ボトルが設置され、
前記ポンプによって前記ラドン発生容器内から吸引された気体が前記除菌ボトル内の前記除菌手段を通過するようになっている、
ことを特徴とする請求項１１に記載の湯治箱。
【請求項１３】
前記ポンプと前記ラドン発生容器との間の前記ラドン導出管の途中には、除菌手段が設置された除菌ボックスが設置され、
前記ポンプによって前記ラドン発生容器内から吸引された気体が前記除菌ボックス内で前記除菌手段によって除菌される、
ことを特徴とする請求項１１に記載の湯治箱。
【請求項１４】
上部に開口部を有し、内部に放射性物質含有鉱石及び水を収容するラドン発生容器と、
前記ラドン発生容器の前記開口部に脱着可能に取り付けられ、前記開口部を密閉できるようになっている蓋部材と、
前記ラドン発生容器の内部と外部とを連通するラドン導出管と、
前記ラドン発生容器を加熱する容器加熱手段と、
前記ラドン発生容器を内部に収容すると共に、前記容器加熱手段を設置する容器収納ボックスと、
前記ラドン発生容器の外部に延ばした前記ラドン導出管の途中に配置され、前記ラドン導出管を閉じることによって前記ラドン発生容器内のラドンの導出を停止し、前記ラドン導出管を開くことにより前記ラドン発生容器内のラドンの導出を可能にする開閉弁と、
を備えた湯治箱の使用方法であって、
療養者の利用時には、前記容器加熱手段で前記ラドン発生容器を加熱し、
療養者の利用待機時には、前記ラドン発生容器内を冷却手段で冷却する、
ことを特徴とする湯治箱の使用方法。
【発明の詳細な説明】
【技術分野】
【０００１】
この発明は、利用者がラドンを効率的に吸入できるようにして、利用者がラドン温泉の湯治と同様の効果を得ることができるようにした湯治箱、及び湯治箱の使用方法に関するものである。
【背景技術】
【０００２】
従来から、日本において、ラドン温泉として有名な三朝温泉及び玉川温泉の各種疾病に対する治療効果が広く知られている。また、オーストリア及びドイツにおいて、ラドン吸入療法が神経痛や末梢循環障害等の医療行為として認められている。そして、このような、ラドン等の放射線壊変生成物を含有する温泉などの効能に着目した各種装置が案出されている。【０００３】
例えば、従来から知られているラドン吸入器は、有底筒状の容器内に複数の放射性物質含有鉱石を収容し、容器の開口端に蓋をして密閉し、蓋に取り付けた給気管から容器内に外部の空気を取り入れることができるように構成すると共に、利用者が容器内の放射性物質含有鉱石から放出されるラドンを蓋に取り付けた吸気管で吸入できるように構成してある（特許文献１参照）。
【先行技術文献】
【特許文献】
【０００４】
【特許文献１】特開２００７−３１３２７４号公報
【発明の概要】
【発明が解決しようとする課題】
【０００５】
このような従来のラドン吸入器は、周囲の大気温度が低い環境下で使用した場合に、利用者が所望の濃度（ラドン温泉と同様の治療効果を期待できる濃度）のラドンを吸入できないという問題を有していた。【０００６】
そこで、本発明は、周囲の大気温度に作用されず、利用者が常時安定した濃度のラドンを吸入できるようにして、利用者がラドン温泉の湯治と同様の効果を得ることができるようにした湯治箱、及び湯治箱の使用方法の提供を目的とする。
【課題を解決するための手段】
【０００７】
本発明の湯治箱１は、上部に開口部２３を有し、内部に放射性物質含有鉱石２１及び水２２を収容するラドン発生容器２と、前記ラドン発生容器２の前記開口部２３に脱着可能に取り付けられ、前記開口部２３を密閉できるようになっている蓋部材２４と、前記ラドン発生容器２の内部と外部とを連通するラドン導出管２０と、前記ラドン発生容器２を加熱する容器加熱手段１５，５１と、前記ラドン発生容器２を内部に収容すると共に、前記容器加熱手段１５，５１を設置する容器収納ボックス３，５２と、前記ラドン発生容器２の外部に延ばした前記ラドン導出管２０の途中に配置され、前記ラドン導出管２０を閉じることによって前記ラドン発生容器２内のラドンの導出を停止し、前記ラドン導出管２０を開くことにより前記ラドン発生容器２内のラドンの導出を可能にする開閉弁１８と、を備えたことを特徴としている。【０００８】
また、本発明の湯治箱１は、上部に開口部２３を有し、内部に放射性物質含有鉱石２１及び水２２を収容するラドン発生容器２と、前記ラドン発生容器２の前記開口部２３に脱着可能に取り付けられ、前記開口部２３を密閉できるようになっている蓋部材２４と、前記ラドン発生容器２の内部と外部とを連通するラドン導出管２０と、前記ラドン発生容器２を加熱する容器加熱手段１５，５１と、前記ラドン発生容器２を内部に収容すると共に、前記容器加熱手段１５，５１を設置する容器収納ボックス３，５２と、前記ラドン導出管２０の途中に配置されたポンプ８４と、を備えている。そして、前記ポンプ８４は、作動時に、前記ラドン発生容器２内の気体を吸引して前記ラドン導出管２０に送り出すようになっている。
【発明の効果】
【０００９】
本発明によれば、ラドン発生容器内をラドン生成に適した温度に容器加熱手段で加熱できるようになっているため、周囲の大気温度に作用されず、利用者が常時安定した濃度のラドンを吸入できるようにして、利用者がラドン温泉の湯治と同様の効果を得ることができる。
【図面の簡単な説明】
【００１０】
【図１】本発明の実施形態に係る湯治箱を示す図であり、図１（ａ）が湯治箱の平面図、図１（ｂ）が湯治箱の一部を破断して示す正面図、図１（ｃ）が湯治箱の右側面図、図１（ｄ）が図１（ｂ）のＡ部を拡大して示す湯治箱の一部拡大断面図である。
【図２】扉を取り外した湯治箱を示す図であり、図２（ａ）が扉を取り外した湯治箱の平面図、図２（ｂ）が扉を取り外した湯治箱の正面図、図２（ｃ）が図２（ａ）のＢ１−Ｂ１線に沿って切断して示す湯治箱の断面図、図２（ｄ）がシートヒータの取付状態を示す湯治箱の断面図である。
【図３】湯治箱に収容されるラドン発生容器を示す図であり、図３（ａ）がラドン発生容器の平面図、図３（ｂ）が一部を破断して示すラドン発生容器の正面図、図３（ｃ）がラドン発生容器の右側面図、図３（ｄ）がラドン発生容器の裏面図である。
【図４】湯治箱の利用状態を示す図であり、図４（ａ）が療養者の第１の利用状態を示す図であり、図４（ｂ）が療養者の第２の利用状態を示す図である。
【図５】本発明の第１実施形態に係る湯治箱の実験結果を示す図であり、ラドン発生容器から発生するラドンの濃度を測定開始から１時間毎に測定した結果を示した図である。
【図６】ラドン濃度の測定状態を示す図である。
【図７】本発明の第２実施形態に係る湯治箱を説明する図であり、図７（ａ）が湯治箱の平面図、図７（ｂ）が湯治箱の一部を破断して示す正面図、図７（ｃ）が湯治箱の一部を破断して示す右側面図である。
【図８】本発明の第２実施形態に係る湯治箱を構成するキャスター台を説明するための図であり、図８（ａ）がキャスター台の平面図、図８（ｂ）がキャスター台の正面図、図８（ｃ）がキャスター台の右側面図、図８（ｄ）が図８（ａ）のＢ２−Ｂ２線に沿って切断して示すキャスター台の断面図、図８（ｅ）が図８（ａ）のＢ３−Ｂ３線に沿って切断して示すキャスター台の断面図である。
【図９】本発明の第２実施形態に係る湯治箱の実験結果を示す図であり、ラドン発生容器から発生するラドンの濃度を測定開始から１時間毎に測定した結果を示した図である。
【図１０】本発明の第３実施形態に係る湯治箱を説明する図であり、図１０（ａ）が湯治箱の正面図であり、図１０（ｂ）が湯治箱の右側面図である。
【図１１】本発明の第３実施形態に係る湯治箱を構成する架台を説明するための図であり、図１１（ａ）が架台の平面図、図１１（ｂ）が架台の正面図、図１１（ｃ）が架台の右側面図、図１１（ｄ）が図１１（ａ）のＢ４−Ｂ４線に沿って切断して示す断面図、図１１（ｅ）が図１１（ａ）のＢ５−Ｂ５線に沿って切断して示す断面図である。
【図１２】本発明の第３実施形態に係る湯治箱を各構成要素毎に分解して示す図であり、図１２（ａ）が湯治箱を正面側から見て示す分解図、図１２（ｂ）が湯治箱を右側面側から見て示す分解図である。
【図１３】本発明の第３実施形態の変形例に係る湯治箱を説明する図であり、図１３（ａ）が湯治箱の正面図であり、図１３（ｂ）が湯治箱の右側面図である。
【図１４】本発明の第４実施形態に係る湯治箱を示す図であり、図１４（ａ）が湯治箱の一部を破断して示す平面図、図１４（ｂ）が湯治箱の一部を破断して示す正面図、図１４（ｃ）が湯治箱の側面図である。
【図１５】湯治箱を構成する容器加熱手段を示す図であり、図１５（ａ）が容器加熱手段の分解斜視図、図１５（ｂ）が容器加熱手段の平面図、図１５（ｃ）が図１５（ｂ）のＢ６−Ｂ６線に沿って切断して示す容器加熱手段の断面図である。
【図１６】本発明の第５実施形態に係る湯治箱のラドン発生容器を示す図であり、図１６（ａ）は一部を破断して示すラドン発生容器の正面図、図１６（ｂ）はラドン発生容器内のラドン導出管の一部拡大断面図である。
【図１７】本発明の第６実施形態に係る湯治箱のラドン発生容器を示す図であり、図１７（ａ）は一部を破断して示すラドン発生容器の正面図、図１７（ｂ）はラドン発生容器の側面図である。
【図１８】本発明の第７実施形態に係る湯治箱のラドン発生容器を示す図であり、図１８（ａ）は一部を破断して示すラドン発生容器の正面図、図１８（ｂ）はラドン発生容器の側面図である。
【図１９】本発明の第８実施形態に係る湯治箱を示す図であり、図１９（ａ）は湯治箱の一部を破断して示す平面図、図１９（ｂ）は湯治箱の一部を破断して示す正面図、図１９（ｃ）は湯治箱の一部を破断して示す側面図である。
【図２０】本発明の第９実施形態に係る湯治箱を示す図であり、図２０（ａ）は湯治箱の一部を破断して示す平面図、図２０（ｂ）は湯治箱の一部を破断して示す正面図、図２０（ｃ）は湯治箱の一部を破断して示す側面図である。
【図２１】図２１（ａ）は第９実施形態の第１変形例に係る湯治箱１の一部を簡略化して示す図であり、図２１（ｂ）は第９実施形態の第１変形例に係る湯治箱１の一部を簡略化して示す図である。
【発明を実施するための形態】
【００１１】
以下、本発明の実施形態を図面に基づき詳述する。
【００１２】
［第１実施形態］
図１は、本発明の第１実施形態に係る湯治箱１を示す図である。また、図２は、扉５を取り外した湯治箱１を示す図である。また、図３は、図１に示した湯治箱１を構成するラドン発生容器２を示す図である。なお、図１（ａ）が湯治箱１の平面図、図１（ｂ）が湯治箱１の一部を破断して示す正面図、図１（ｃ）が湯治箱１の右側面図、図１（ｄ）が図１（ｂ）のＡ部を拡大して示す湯治箱１の一部拡大断面図である。また、図２（ａ）が扉５を取り外した湯治箱１の平面図、図２（ｂ）が扉５を取り外した湯治箱１の正面図、図２（ｃ）が図２（ａ）のＢ１−Ｂ１線に沿って切断して示す湯治箱１の断面図、図２（ｄ）がシートヒータ１４の取付状態を示す湯治箱１の断面図である。また、図３（ａ）がラドン発生容器２の平面図、図３（ｂ）が一部を破断して示すラドン発生容器２の正面図、図３（ｃ）がラドン発生容器２の右側面図、図３（ｄ）がラドン発生容器２の裏面図である。
【００１３】
図１乃至図３に示すように、本実施形態に係る湯治箱１は、外観形状が略直方体形状であり、ラドン発生容器２と、このラドン発生容器２を収容する容器収納ボックス３とを備えている。
【００１４】
この容器収納ボックス３は、上部の箱開口部分４が着脱可能な扉５で開閉されるようになっている。扉５は、第１扉部分５ａと第２扉部分５ｂとに二分割されており、これら第１扉部分５ａと第２扉部分５ｂとが連結部材（蝶番等）６で開閉できるように形成されている。
【００１５】
また、容器収納ボックス３は、ラドン発生容器２を収納する容器収納空間７と、後述するカニューラ等を収納する多目的収納空間８と、に分割されている。この容器収納ボックス３は、第１乃至第４側壁１０ａ〜１０ｄ、空間仕切壁１０ｅ、底壁１０ｆ、及び扉５で形作られており、第１側壁１０ａ、第２側壁１０ｂ、第４側壁１０ｄ、空間仕切壁１０ｅ、底壁１０ｆ、及び扉５が断熱材１１で形成され、容器収納空間７の熱が外部に逃げにくい構造になっている。断熱材１１は、図１（ｄ）に示すように、対向するように配置された一対のパネル部材１２，１２（木材、プラスチック、金属等のパネル状部材）の間に断熱機能に優れた断熱素材１３（発泡ウレタン、発泡スチレン等）又は断熱空間（空気層）が配置されている。このような構成の容器収納ボックス３は、容器収納空間７に収容したラドン発生容器２内の温度をラドンの生成に好ましい温度に長時間にわたって保持することが可能になる。なお、断熱材１１は、パネル部材１２の内側（容器収納空間７側）に、断熱素材１３（発泡ウレタン、発泡スチレン等）を固着させ、断熱素材１３を容器収納空間７に露出させたものでもよい。また、本実施形態において、第３側壁１０ｃは、パネル部材１２で形成することを想定しているが、これに限られず、断熱材１１で形成してもよい。
【００１６】
また、容器収納ボックス３は、空間仕切壁１０ｅと底壁１０ｆとの間に隙間１４が設けられ、一対のシートヒータ１５，１５（容器加熱手段）を隙間１４から容器収納空間７内の底壁１０ｆ上に差し入れることができるようになっている。シートヒータ１５は、略矩形形状のシートヒータ本体１５ａと、このシートヒータ本体１５ａの一端側に取り付けられたヒータ操作部１５ｂと、を有している。このシートヒータ１５は、図２（ｄ）に示すように、シートヒータ本体１５ａが可撓性を有する材料（弾性変形可能な材料）で形成され、ラドン発生容器２を容器収納空間７内に収納する前に、多目的収納空間８の上部からヒータ操作部１２ｂを上にした状態で多目的収納空間８内に挿入し、シートヒータ本体１５ａの先端側を撓み変形（湾曲変形）させた状態で空間仕切壁１０ｅと底壁１０ｆとの間の隙間１４に挿入するようになっている。また、このシートヒータ１５は、容器収納空間７内の底壁１０ｆ上に配置された状態において、ヒータ操作部１５ｂ（例えば、温度調節ダイヤル）が箱開口部分４から多目的収納空間８内に差し入れられた作業者の手で操作できるようになっている。このようなシートヒータ１５は、多目的収納空間８内に設置した図示しないコンセントに通電用コードを介して電気的に接続されており、ヒータ操作部１５ｂで設定された温度に発熱するようになっている。そして、コンセントは、容器収納ボックス３の外部に引き出された図示しない通電用コードが外部電源に接続されるようになっている。なお、容器収納ボックス３から引き出された図示しない通電用コードには、オン・オフスイッチを設置して、シートヒータ１５，１５への通電のオン・オフを行うようにしてもよい。また、容器収納ボックス３から引き出された図示しない通電用コードには、シートヒータ１５，１５への通電を制御する温度コントローラを設置し、その温度コントローラでシートヒータ１５，１５の発熱温度を制御できるようにしてもよい。また、容器収納ボックス３は、シートヒータ１５，１５を底壁１０ｆ上に配置する態様を例示したが、これに限られず、第１側壁１０ａ、第２側壁１０ｂ、空間仕切壁１０ｅ、第４側壁１０ｄの少なくとも一つの内面（ラドン発生容器２に対向する面）、又は天面にシートヒータ１５を配置するようにしてもよい。
【００１７】
容器収納ボックス３の第２側壁１０ｂ及び第４側壁１０ｄの外表面には、それぞれ取っ手１７が取り付けられている。その結果、療養者等の利用者は、取っ手１７を掴んで湯治箱１を持ち上げることができ、湯治箱１を目的の移動場所に移動させることが可能になる。
【００１８】
容器収納ボックス３の扉５は、例えば、図１（ｂ）に示すように、第２扉部分５ｂを第１扉蓋部分５ａに対して回動できるように使用する場合、開閉弁１８が第１扉部分５ａに取り付けられるようになっている。開閉弁１８は、容器収納ボックス３の容器収納空間７内に収容されたラドン発生容器２内と容器収納ボックス３の外部空間とを連通するラドン導出管２０の途中に配置されており、ラドン導出管２０を閉じることによってラドン発生容器２内のラドンの導出を停止し、ラドン導出管２０を開くことによりラドン発生容器２内のラドンの導出を可能にするようになっている。なお、開閉弁１８は、ラドン導出管２０の途中で且つ利用者が操作し易い位置に配置してもよい。
【００１９】
また、容器収納ボックス３の扉５は、ラドン導出管２０（例えば、鼻腔酸素カニューラ）を多目的収納空間８内に収容するための窓（開口部）１９ａが第２扉部分５ｂの第１扉部分５ａ寄りの端部に形成され、ラドン導出管２０を引っ掛けて保持するためのラドン導出管保持溝１９ｂが第１扉部分５ａの端部で且つ窓１９ａに対向する部分に形成されている。なお、ラドン導出管保持溝１９ｂ及びその近傍には、ラドン導出管２０を傷付けないようにするため、発泡プラスチック等の軟質材の保護部材１９ｃが固定されている。
【００２０】
ラドン発生容器２は、プラスチック又は金属（例えば、ステンレス）で略直方体形状に形成され、内部に放射性物質含有鉱石２１（例えば、モナザイトとなえぎ石）及び水２２が収容されるようになっている。このラドン発生容器２は、上部に開口部２３が形成され、この開口部２３が蓋部材２４で開閉されるようになっている。蓋部材２４は、ラドン発生容器２の開口部２３に脱着可能に取り付けられ、ラドン発生容器２の開口部２３から取り外された状態において、放射性物質含有鉱石２１及び水２２の出し入れを可能にし、ラドン発生容器２の開口部２３に取り付けられた状態において、ラドン発生容器２の開口部２３を密閉して、ラドン発生容器２内で生成されたラドンがラドン発生容器２の開口部２３から漏出するのを防止する。なお、水は、後述するような１リットル程度の水量に限定されず、水中から取り出した放射性物質含有鉱石２１に付着した程度の水量でもよく、また、放射性物質含有鉱石２１に霧吹きで吹き付けられた水の量程度でもよい。また、水は、少なくとも放射性物質含有鉱石２１に含まれていればよい。
【００２１】
また、ラドン発生容器２は、上部にラドン導出口２５が形成されている。そして、このラドン導出口２５は、ラドン発生容器２の内部と容器収納ボックス３の外部とを連通するラドン導出管２０が挿入され、このラドン導出管２０との隙間を密封するシール部材２６が取り付けられている。
【００２２】
また、ラドン発生容器２は、上部のほぼ中央部分に取っ手２７が形成されている。この取っ手２７は、ラドン発生容器２を容器収納ボックス３内に出し入れする際に、作業者が把持するためのものであり、ラドン発生容器２の重心を通り且つ底面２８に直交する垂線３０の近傍を把持できるように工夫されている。
【００２３】
このようなラドン発生容器２は、図２（ａ）〜（ｃ）に示すように、容器収納ボックス３の底壁１０ｆ上に配置された一対のシートヒータ１５，１５のシートヒータ本体１５ａ，１５ａに乗せられるようになっている。その結果、ラドン発生容器２は、内部に収容した水２２が一対のシートヒータ１５，１５によって効果的に加熱され、内部の温度がラドンの生成に好適な温度（例えば、３０℃〜５０℃）に保持される。そして、このラドン発生容器２は、内部のガスが一対のシートヒータ１５，１５によって加熱されて、内圧が外部の大気圧よりも高くなるため、水から分離したラドンを含むガス（ラドンガスと略称する）がラドン導出管２０を介して流出する。なお、本実施形態に係る湯治箱１は、容器加熱手段として一対のシートヒータ１５，１５を使用しているが、これに限られず、ラドン発生容器２の底面２８と同程度の大きさの単一のシートヒータを使用してもよい。また、シートヒータ１５は、ラドン発生容器２内の水２２を効果的に加熱できる限り、大きさや個数を適宜決定することができる。
【００２４】
図４は、湯治箱１の利用状態を示す図である。なお、図４（ａ）は、療養者３１の第１の利用状態を示す図である。また、図４（ｂ）は、療養者３１の第２の利用状態を示す図である。
【００２５】
図４（ａ）に示すように、湯治箱１で生成されたラドン（ラドンガス）は、横になった姿勢の療養者３１がラドン導出管２０（例えば、鼻腔酸素カニューラ）を介して鼻から吸引することができるようになっている。また、図４（ｂ）に示すように、湯治箱１で生成されたラドン（ラドンガス）は、椅子等に座った状態の療養者３１がラドン導出管２０を介して鼻から吸引することができるようになっている。なお、ラドン導出管２０は、鼻腔酸素カニューラに限定されるものではなく、療養者３１が装着するマスクに取り付けられるチューブで且つ柔軟に変形できるチューブでもよい。また、図４は、一人の療養者３１の湯治箱１の利用状態を例示している。しかし、本発明は、この図４の湯治箱１の利用状態に限られず、ラドン導出管２０を途中で分岐し、その分岐したそれぞれのラドン導出管２０に開閉弁を設置すると共に、それぞれのラドン導出管２０の先端側を鼻腔酸素カニューラとして、複数の療養者３１が同時に湯治箱１を利用（ラドン吸引）できるようにしてもよい。
【００２６】
図５は、本実施形態に係る湯治箱１の実験結果を示す図であり、ラドン発生容器２から発生するラドンの濃度を測定開始から１時間毎に測定した結果を示した図である。この図５において、横軸が経過時間を表し、縦軸がラドン濃度の測定値を表している。なお、図６に示すように、ラドン濃度の測定は、ラドン発生容器２から延びるラドン導出管２０の先端を穴３２が開いたビニール袋３３内に挿入し、このビニール袋３３内のラドン濃度をビニール袋３３内に設置した放射線測定器３４で測定した。また、ビニール袋３３の位置は、図４（ａ）に示す療養者３１の鼻の位置を想定している。したがって、放射線測定器３４が示すラドン濃度は、実際に療養者３１が吸引するラドンの濃度になる。
【００２７】
この図５に示すように、ビニール袋３３内のラドン濃度は、測定開始から僅かな時間（約１時間）で玉川温泉の療養に使用されるラドン濃度（２８００Ｂｇ／ｍ３）を超え、測定開始から約４時間３０分が経過するまで玉川温泉の療養に使用されるラドン濃度の数値以上の値になっていた。なお、実験は、１０リットルの容量のポリタンクをラドン発生容器２として使用し、ポリタンクの内部に１０ｋｇのなえぎ石、モナザイトのセラミックボール１．５ｋｇ、及び１リットルの水を投入して、ポリタンクの底面を発熱温度が５０℃に設定された一対のシートヒータ１５，１５で加熱した。
【００２８】
以上のように、本実施形態に係る湯治箱１は、ラドン発生容器２内をラドンの生成に適した温度に一対のシートヒータ１５，１５（容器加熱手段）で加熱できるようになっているため、周囲の大気温度に作用されず、療養者（利用者）３１が常時安定した濃度のラドンを吸入でき、療養者３１がラドン温泉の湯治と同様の効果を得ることができる。
【００２９】
また、本実施形態に係る湯治箱１は、ラドン発生容器２内に水２２を入れてあるため、水に溶け込み易いラドンが放射性物質含有鉱石２１から水２２に移動し（水２２に溶け込み）、水２２がシートヒータ１５，１５の熱で２７℃以上になると、ラドンが水２２から分離して、ラドン発生容器２内の圧力（Ｐｘ）と容器収納ボックス３の外部の圧力（大気圧：Ｐａ）との圧力差（Ｐｘ＞Ｐａ）でラドンがラドン発生容器２から押し出され、療養者３１がラドンを容易に吸入できる。なお、湯治箱１は、ラドン発生容器２がシートヒータ１５，１５で加熱されることにより、ラドン発生容器２の内圧が大気圧よりも大きくなるように構成されている。
【００３０】
なお、容器加熱手段は、上記本実施形態のシートヒータ１５に限定されず、投げ込みヒータ、使い捨てカイロ、パネルヒータ、フィルムヒータ、カーボンヒータ、温風ヒータ、テープヒータ等を使用して、ラドン発生容器２内の温度を予め設定した温度範囲内に加熱するようにしてもよい。また、容器収納ボックス３は、容器収納空間７に温泉施設等のお湯の配管（図示せず）を引き込み、その配管内のお湯を容器加熱手段としてもよい。
【００３１】
また、本発明に係る湯治箱１は、図１に示した床置きタイプに限定されず、全体を小型化し、利用者が身に付けるショルダーバック等に入れて携帯できるようにした携帯タイプにも適用できる。この場合、シートヒータ１４の電源は、携帯可能なバッテリー等が着脱可能に設置される。
【００３２】
［第２実施形態］
図７は、本発明の第２実施形態に係る湯治箱１を説明する図である。また、図８は、本実施形態に係る湯治箱１を構成するキャスター台３５を説明するための図である。なお、図７（ａ）が湯治箱１の平面図、図７（ｂ）が湯治箱１の一部を破断して示す正面図、図７（ｃ）が湯治箱１の一部を破断して示す右側面図である。また、図８（ａ）がキャスター台３５の平面図、図８（ｂ）がキャスター台３５の正面図、図８（ｃ）がキャスター台３５の右側面図、図８（ｄ）が図８（ａ）のＢ２−Ｂ２線に沿って切断して示すキャスター台３５の断面図、図８（ｅ）が図８（ａ）のＢ３−Ｂ３線に沿って切断して示すキャスター台３５の断面図である。
【００３３】
図７に示すように、本実施形態に係る湯治箱１は、容器収納ボックス３の底壁１０ｆ側の台座部３６がキャスター台３５の係合凹所３７に係合され、キャスター台３５と共に移動できるようになっている。このような本実施形態に係る湯治箱１は、療養者が取っ手１７を把持して引っ張るか又は押すことにより、容易に移動させることができる。なお、容器収納ボックス３は、台座部３６が第１乃至第４側壁１０ａ〜１０ｄの外表面よりも内側に引っ込んだ状態で形成されており、台座部３６の外周側にキャスター台３６の側壁３８ａ〜３８ｄを収容する凹部（係合代）４０が設けられている（図１参照）。
【００３４】
図７及び図８に示すように、キャスター台３５は、容器収納ボックス３の底壁１０ｆと同様の矩形形状の底板４１と、底板４１の上部端縁に沿って形成された４側壁３８ａ〜３８ｄと、底板４１の底面の４隅に取り付けられた転動可能な車輪４２と、を有している。このキャスター台３５は、底板４１と４側壁３８ａ〜３８ｄとで形作られる係合凹所３７内に容器収納ボックス３の台座部３６を収容し、底板４１で容器収納ボックス３の台座部３６を支持し、４側壁３８ａ〜３８ｄで容器収納ボックス３が底板４１上をスライド移動するのを阻止するようになっている。
【００３５】
このような本実施形態に係る湯治箱１は、キャスター台３５によって床面等（湯治箱１が置かれる面）から持ち上げられることになる。その結果、本実施形態に係る湯治箱１は、ラドン発生容器２のラドン導出口２５と床面等との高低差が第１実施形態に係る湯治箱１（台座部３６が床面等に直に置かれる湯治箱１）と比較して大きくなり、ラドン発生容器２内のラドンをラドン導出管２０を介して導出し易くなる。
【００３６】
図９は、本実施形態に係る湯治箱１の実験結果を示す図であり、ラドン発生容器２から発生するラドンの濃度を測定開始から１時間毎に測定した結果を示した図である。この図９において、横軸が経過時間を表し、縦軸がラドン濃度の測定値を表している。なお、ラドン濃度の測定は、図６で示したように（第１実施形態と同様に）、ラドン発生容器２から延びるラドン導出管２０の先端を穴３２が開いたビニール袋３３内に挿入し、このビニール袋３３内のラドン濃度をビニール袋３３内に設置した放射線測定器３４で測定した。
【００３７】
この図９に示すように、本実施形態において、ビニール袋３３内のラドン濃度は、測定開始から僅かな時間（約１時間）で玉川温泉の療養に使用されるラドン濃度（２８００Ｂｇ／ｍ３）を超え、測定開始から約６時間が経過するまで玉川温泉の療養に使用されるラドン濃度の数値以上の値になっていた。また、本実施形態において、ビニール袋３３内のラドン濃度は、測定開始から僅かな時間（約１時間）で三朝温泉の療養に使用されるラドン濃度（３０００Ｂｇ／ｍ３）を超え、測定開始から約５時間３０分が経過するまで三朝温泉の療養に使用されるラドン濃度の数値以上の値になっていた。なお、実験は、１０リットルの容量のポリタンクをラドン発生容器２として使用し、ポリタンクの内部に１０ｋｇのなえぎ石、モナザイトのセラミックボール１．５ｋｇ、及び１リットルの水を投入して、ポリタンクの底面を発熱温度が５０℃に設定されたシートヒータ１５，１５で加熱した。
【００３８】
このような本実施形態に係る湯治箱１は、図９に示したように、第１実施形態に係る湯治箱１以上の効果（温泉の湯治効果と同様の効果）を得ることができる。
【００３９】
［第３実施形態］
図１０は、本発明の第３実施形態に係る湯治箱１を説明する図である。また、図１１は、本実施形態に係る湯治箱１を構成する架台４３を説明するための図である。また、図１２は、本実施形態に係る湯治箱１を各構成要素毎に分解して示す図である。なお、図１０（ａ）が湯治箱１の正面図であり、図１０（ｂ）が湯治箱１の右側面図である。また、図１１（ａ）が架台４３の平面図、図１１（ｂ）が架台４３の正面図、図１１（ｃ）が架台４３の右側面図、図１１（ｄ）が図１１（ａ）のＢ４−Ｂ４線に沿って切断して示す架台４３の断面図、図１１（ｅ）が図１１（ａ）のＢ５−Ｂ５線に沿って切断して示す架台４３の断面図である。また、図１２（ａ）が湯治箱１を正面側から見て示す分解図であり、図１２（ｂ）が湯治箱を右側面側から見て示す分解図である。
【００４０】
図１０に示すように、本実施形態に係る湯治箱１は、容器収納ボックス３が架台４３を介してキャスター台３５上に設置されている。その結果、本実施形態に係る湯治箱１は、容器収納ボックス３が架台４３及びキャスター台３５と共に移動できるようになっている。
【００４１】
図１０乃至図１２に示すように、架台４３は、４側壁４４ａ〜４４ｄからなる外箱４５と、この外箱４５の内側に密接して嵌り合う４側壁４６ａ〜４６ｄからなる内箱４７とを有している。内箱４７は、外箱４５に対して下方にずれて位置し、第１の側壁４６ａに沿うように位置する第１の補強板４８ａが第２の側壁４６ｂと第４の側壁４６ｄに突き当てられるように固定されている。また、内箱４７は、第３の側壁４６ｃに沿うように位置する第２の補強板４８ｂが第２の側壁４６ｂと第４の側壁４６ｄに突き当てられるように固定されている。そして、架台４３は、外箱４５の上部内側に容器収納ボックス３の台座部３６が係合され、内箱４７の４側壁４６ａ〜４６ｄの上面及び一対の補強板３８ａ，３８ｂの上面で容器収納ボックス３の台座部３６を支持するようになっている。そして、架台４３は、内箱４７のうちで外箱４５よりも下方に突出した部分がキャスター台３５の係合凹所３７に係合され、キャスター台３５の底板４１で支持され、キャスター台３５の４側壁３８ａ〜３８ｄでキャスター台３５に対するずれ動きが防止されている。
【００４２】
以上のように、本実施形態に係る湯治箱１は、容器収納ボックス３が架台４３を介してキャスター台３５上に乗せられているため、療養者の顔の位置に応じた高さにラドン発生容器２のラドン導出口２５を配置でき、療養者に確実にラドンを供給できる。
【００４３】
また、本実施形態に係る湯治箱１は、図１３に示すように、容器収納ボックス３を複数の架台４３（積み上げられた複数の架台４３）を介してキャスター台３５上に設置するようにしてもよい。また、この図１３に示すように、湯治箱１は、キャスター台３５上に複数の架台４３を積み上げるような場合、キャスター台３５上で且つ架台４３の内部に、水を入れた折りたたみ式ポリタンク等の重心位置調整手段を収容し、重心位置が高くなりすぎないようにして、倒れにくくすることが好ましい。
【００４４】
なお、上記第３実施形態に係る湯治箱１は、容器収納ボックス３が架台４３を介してキャスター台３５上に設置されるようになっているが、キャスター台３５を省略し、容器収納ボックス３を架台４３を介して床面等に置いてもよい。
【００４５】
［第４実施形態］
図１４は、本発明の第４実施形態に係る湯治箱１を示す図である。また、図１５は、湯治箱１を構成する容器加熱手段５１を示す図である。なお、図１４（ａ）は湯治箱１の一部を破断して示す平面図、図１４（ｂ）は湯治箱１の一部を破断して示す正面図、図１４（ｃ）は湯治箱１の側面図である。また、図１５（ａ）は容器加熱手段５１の分解斜視図、図１５（ｂ）は容器加熱手段５１の平面図、図１５（ｃ）は図１５（ｂ）のＢ６−Ｂ６線に沿って切断して示す容器加熱手段５１の断面図である。また、本実施形態に係る湯治箱１の説明は、第１実施形態に係る湯治箱１と対応する構成部分に同一符号を付し、重複した説明を省略する。
【００４６】
図１４に示す湯治箱は、第１実施形態に係る湯治箱１と同様に、ラドン発生容器２、蓋部材２４、ラドン導出管２０、容器加熱手段５１、容器収納ボックス５２、及び開閉弁１８を備えている。更に、図１４に示す湯治箱１は、ラドン発生容器２内を冷却する冷却手段５３を備えている。
【００４７】
本実施形態において、容器収納ボックス５２は、第１乃至第４側壁５２ａ〜５２ｄ、及び底壁５２ｅで形作られており、上部の箱開口部分５４に開閉可能な扉５５が図示しない蝶番等で取り付けられ、第１実施形態に係る湯治箱１の多目的収納空間８が省略されている。そして、本実施形態に係る容器収納ボックス５２は、底壁５２ｅの上方に通電用コード５６等を収容する下部空間５７が設けられ、この下部空間５７の上部に容器加熱手段５１が置かれ、この容器加熱手段５１上にラドン発生容器２が置かれるようになっている。なお、容器収納ボックス５２は、底壁５２ｅの下面側に複数の車輪４２が取り付けられており、これらの車輪４２によって移動可能に支持されている。
【００４８】
また、容器収納ボックス５２は、４側壁５２ａ〜５２ｄの下端内面に、容器加熱手段５１を下方から支持するための支持壁５８ａ〜５８ｄが固定されている。また、容器収納ボックス５２は、容器加熱手段５１の上方で且つラドン発生容器２の側方を取り囲む４側壁５２ａ〜５２ｄの内面に、断熱材６０（発泡ウレタン、発泡スチレン等）が固定されている。また、容器収納ボックス５２は、天板６１が断熱材６０の上部に取り外すことができるように乗せられている。この天板６１は、容器加熱手段５１上に乗せられたラドン発生容器２上に位置しており、ラドン発生容器２内から引き出されたラドン導出管２０の取り出し穴６２が形成されると共に、ラドン発生容器２の開口部２３に取り付けられた蓋部材２４を脱着するための矩形形状の操作窓６３が形成されている。そして、この天板６１の上面には、操作窓６３を塞ぐシール部材６４（例えば、柔軟に変形できるスポンジ状部材）が乗せられている。このシール部材６４は、操作窓６３を塞ぐことにより、操作窓６３からの熱の出入りを抑えている。また、このシール部材６３は、天板６１上に乗せられているだけであるため、天板６１上から取り除くことにより、ラドン発生容器２の蓋部材２４の開閉操作を容易に行うことができるようになっている。なお、容器収納ボックス５２は、第４側壁５２ｄの下端側に、容器加熱手段５１から延びる通電用コード５６等と外部電源とを電気的に接続する電気コードの差し込みプラグ（図示せず）を挿入するためのプラグ受け６５が設けられている。また、容器収納ボックス５２は、第４側壁５２ｄのプラグ受け６５の上部に、オン・オフスイッチ６６が設けられており、容器加熱手段５１への通電のオン・オフがオン・オフスイッチ６６で容易にできるようになっている。
【００４９】
また、容器収納ボックス５２は、第１側壁５２ａの上端側に、ラドン導出管２０を引き出すための窓６７が形成されている。この窓６７は、図１４（ｂ）に示すように、第１側壁５２ａの上端側を第２側壁５２ｂ側から第４側壁５２ｄ側まで矩形形状に切り欠いたような形状になっており、ラドン導出管２０を広範囲に移動させることができるようになっている。
【００５０】
ラドン発生容器２は、図１４（ｂ）に示すように、内部に収容した放射性物質含有鉱石２１及び水２２を冷却するための冷却手段５３が収納されるようになっている。この冷却手段５３は、プラスチック製の密閉容器内に氷を収容したものであり、療養者の利用待機時（容器加熱手段５１への通電が遮断され、容器加熱手段５１でラドン発生容器２を加熱しない時間帯）に、ラドン発生容器２の蓋部材２４を取り外し、ラドン発生容器２の開口部２３からラドン発生容器２の内部に挿入されるようになっている。このように、冷却手段５３によって内部が冷却されたラドン発生容器２は、療養者の利用待機時に、冷却手段５３によって内部が冷却されない場合と比較し、多くのラドンを溜めることができる。そして、療養者の利用待機時に冷却手段５３で冷却されたラドン発生容器２は、療養者の利用時に、冷却手段５３が取り出された後、容器加熱手段５１によって加熱されると、冷却手段５３によって内部が冷却されない場合と比較し、多くのラドンを療養者に供給することができる。なお、湯治箱１は、療養者の利用待機時に、開閉弁１８が閉じられ、療養者の利用時に、開閉弁１８が開けられる。また、ラドン発生容器２内には、水深が１ｃｍ程度になる量の水を収容することが好ましい。
【００５１】
図１５に示すように、容器加熱手段５１は、底板６８を有する枠体７０と、枠体７０の底板６８上に置かれるグラスウール７１と、グラスウール７１上に乗せられた状態で枠体７１内に収容されるヒータ７２と、枠体７０の上部開口縁７３にねじ等で固定されて枠体７０の上部を塞ぐアルミプレート７４と、を備えている。そして、枠体７０は、ヒータ７２から延びる通電用コード５６を容器加熱手段５１の下方へ案内する通電用コード案内部７５が形成されている。
【００５２】
以上のように構成された本実施形態に係る湯治箱１は、療養者の利用時に、容器加熱手段５１によってラドン発生容器２を加熱し（ラドン発生容器内の温度を３５℃位まで（好ましくは４２℃位まで）加熱し）、療養者の利用待機時に、容器加熱手段をオフにして、ラドン発生容器２内を冷却手段５３で冷却する（ラドン発生容器内の温度を約１０℃位まで（好ましくは７℃位まで）冷却する）。
【００５３】
なお、本実施形態は、プラスチック製の密閉容器内に氷を収容してなる冷却手段５３をラドン発生容器２内に収容する構成を例示したが、これに限られず、容器加熱手段と冷却手段とを兼用するようにしてもよい。すなわち、容器加熱手段５１は、ラドン発生容器２内を冷却する冷却手段にスイッチで切り替えるようになっているものを使用してもよい（例えば、アクシア  インターナショナル株式会社が販売している「ＨＯＴ＆ＣＯＬＤ  ＰＬＡＴＥ」ＭＯＤＥＬ  ＮＯ．３３００（ポータブルタイプ）のようなものを使用してもよい）。
【００５４】
また、冷却手段５３は、第１乃至第３実施形態に係る湯治箱１に備えることにより、利用者の療養効果（ラドン温泉と同様の湯治効果）をより一層高めることが期待される。
【００５５】
［第５実施形態］
図１６は、本発明の第５実施形態に係る湯治箱１のラドン発生容器２を示す図である。なお、図１６（ａ）は、一部を破断して示すラドン発生容器２の正面図であり、図３（ｂ）に対応する図である。また、図１６（ｂ）は、ラドン発生容器２内のラドン導出管２０の一部拡大断面図である。また、この図１６に示すラドン発生容器２は、図３のラドン発生容器２と同様の構成に同一符号を付し、重複した説明を省略する。
【００５６】
この図１６に示すように、ラドン導出管２０は、ラドン発生容器２の内部からラドン発生容器２の外部に延びる弾性変形可能な合成樹脂製管２０ａと、この合成樹脂製管２０ａの先端に嵌合固定されてラドン発生容器２の内部に位置する銅管２０ｂと、を有している。このラドン導出管２０は、ラドン発生容器２内の先端が開口端であり、ラドン発生容器２内の空間に開口し、開口端が水に浸かることがない長さになっている。このようなラドン導出管２０を備えた湯治箱１は、ラドンを含む気体がラドン導出管２０からラドン発生容器２の外部に導出される際に銅管２０ｂで殺菌される。
【００５７】
［第６実施形態］
図１７は、本発明の第６実施形態に係る湯治箱１のラドン発生容器２を示す図である。なお、図１７（ａ）は、一部を破断して示すラドン発生容器２の正面図であり、図３（ｂ）に対応する図である。また、図１７（ｂ）は、ラドン発生容器２の側面図であり、図３（ｃ）に対応する図である。また、この図１７に示すラドン発生容器２は、図３のラドン発生容器２と同様の構成に同一符号を付し、重複した説明を省略する。
【００５８】
この図１７に示すように、ラドン発生容器２は、内部の底面２８上に複数の鉱石支持台７６を並べ、複数の放射性物質含有鉱石２１を鉱石支持台７６上に置くようになっている。鉱石支持台７６は、ラドン発生容器２の開口部２３からラドン発生容器２の内部に入れることができる形状に形成されており、ラドン発生容器２の内部の底面２８上に複数台並べて配置される。この鉱石支持台７６は、複数の脚部７７と、この脚部７７の上端に固定された鉱石支持プレート７８と、を有している。そして、この鉱石支持台７６の鉱石支持プレート７８は、ラドン発生容器２内に収容された水２２よりも上方に位置し、放射性物質含有鉱石２１が水に浸からないように、放射性物質含有鉱石２１を支持している。このようなラドン発生容器２を備えた湯治箱１は、ラドン発生容器２内のガスと放射性物質含有鉱石２１との接触面積が大きくなる。なお、鉱石支持台７６は、木材、セラミック、プラスチック、又は金属（例えば、銅、ステンレス）等で形成される。また、鉱石支持台７６は、ラドン発生容器２内に６台並べる態様を例示したが、ラドン発生容器２の開口部２３からラドン発生容器２の内部に入れることができる限り、本実施形態の台数に限定されない。
【００５９】
［第７実施形態］
図１８は、本発明の第７実施形態に係る湯治箱１のラドン発生容器２を示す図である。なお、図１８（ａ）は、一部を破断して示すラドン発生容器２の正面図であり、図３（ｂ）に対応する図である。また、図１８（ｂ）は、ラドン発生容器２の側面図であり、図３（ｃ）に対応する図である。また、この図１８に示すラドン発生容器２は、図３のラドン発生容器２と同様の構成に同一符号を付し、重複した説明を省略する。
【００６０】
この図１８に示すように、ラドン発生容器２は、内部の底面２８上に複数の鉱石収容筒８０を並べてある。鉱石収容筒８０は、円筒部材８１の両端に蓋部材８２，８２が脱着可能に取り付けられ、内部に複数の放射性物質含有鉱石２１が収容されている。この鉱石収容筒８０は、円筒部材８１と蓋部材８２の嵌合部分から円筒部材８１の内部に水２２が浸入しないようになっている。蓋部材８２の中央には、鉱石収容筒８０の内部空間とラドン発生容器２の内部空間とを連通する通気穴８３が形成されている。そして、鉱石収容筒８０の通気穴８３は、ラドン発生容器２内の水２２よりも上方に位置し、ラドン発生容器２内で転がった場合でも、水２２が鉱石収容筒８０内に浸入しないようになっている。このようなラドン発生容器２を備えた湯治箱１は、ラドン発生容器２内のガスと放射性物質含有鉱石２１との接触面積が大きくなる。なお、本実施形態において、鉱石収容筒８０は、例えば、円筒部材８１が金属（銅、ステンレス等）で形成され、蓋部材８２がプラスチックで形成される。また、鉱石収容筒８０は、ラドン発生容器２内に２本並べて配置する態様を例示したが、これに限られず、１本のみラドン発生容器２内に収容してもよく、また、３本以上をラドン発生容器２内に収容してもよい。
【００６１】
［第８実施形態］
図１９は、本発明の第８実施形態に係る湯治箱１を示す図であり、第４実施形態に係る湯治箱１の変形例を示す図である。なお、図１９（ａ）は湯治箱１の一部を破断して示す平面図、図１９（ｂ）は湯治箱１の一部を破断して示す正面図、図１９（ｃ）は湯治箱１の一部を破断して示す側面図である。また、本実施形態に係る湯治箱１の説明は、第４実施形態に係る湯治箱１と対応する構成部分に同一符号を付し、第４実施形態に係る湯治箱１の説明と重複した説明を省略する。
【００６２】
この図１９に示すように、本実施形態に係る湯治箱１は、ポンプ８４（例えば、チュービングポンプ）が容器収納ボックス５２の天板６１上に取り外し可能な状態で固定されると共に、ポンプ８４が容器収納ボックス５２の天板６１と扉５５との間の空間８５内に収容されている。また、ポンプ８４は、ラドン発生容器２内と外部空間とを連通するラドン導出管２０の途中に配置されている。ラドン導出管２０は、ポンプ８４の吸入ポート８６からラドン発生容器２内の空間に延びる第１のラドン導出管８７と、ポンプ８４の吐出ポート８８から利用者側に延びる第２のラドン導出管８９とで構成されている。そして、ポンプ８４は、作動時において、第１のラドン導出管８７を介して吸引したラドン発生容器２内の気体を、第２のラドン導出管８９を介して利用者側に向けて供給する（第２のラドン導出管８９に送り出す）。また、ポンプ８４は、作動停止時において、第１のラドン導出管８７と第２のラドン導出管８９の連通を遮断し（ラドン導出管２０を閉じ）、ラドン発生容器２内の気体がラドン導出管２０（８７，８９）を介して流出するのを阻止する。その結果、本実施形態に係る湯治箱１は、第４実施形態に係る湯治箱１の開閉弁１８が省略されている（設置されていない）。なお、ポンプ８４は、容器加熱手段５１への通電のオン・オフを行うオン・オフスイッチ６６でオン・オフできるようにするか、オン・オフスイッチ６６と異なる別のオン・オフスイッチ（図示せず）でオン・オフできるようにしてもよい。また、本実施形態に係る湯治箱１は、ポンプ８４を扉５５の上面に設置するか、又は容器収納ボックス５２外の任意の位置に配置してもよい。また、本実施形態において、ポンプ８４は、チュービングポンプを例示したが、これに限定されるものでなく、ラドン発生容器２内の気体をラドン導出管２０を介して送り出すことができるものであれば広く適用が可能である。
【００６３】
このような本実施形態に係る湯治箱１は、ラドン発生容器２内の気体がポンプ８４で強制的に送り出されるようになっているため、第４実施形態に係る湯治箱１と比較して、利用者がより一層安定した高濃度のラドンを吸入できる。
【００６４】
なお、本実施形態に係る湯治箱１は、ラドン発生容器２に逆止弁９３を設置し、ラドン発生容器２内の圧力が所定圧力値以下に減圧した場合に、外気が逆止弁９３を介してラドン発生容器２内に導入されるように構成してもよい。
【００６５】
［第９実施形態］
図２０は、本発明の第９実施形態に係る湯治箱１を示す図であり、第８実施形態に係る湯治箱１の変形例を示す図である。なお、図２０（ａ）は湯治箱１の一部を破断して示す平面図、図２０（ｂ）は湯治箱１の一部を破断して示す正面図、図２０（ｃ）は湯治箱１の側面図である。また、本実施形態に係る湯治箱１の説明は、第８実施形態に係る湯治箱１と対応する構成部分に同一符号を付し、第８実施形態に係る湯治箱１の説明と重複した説明を省略する。
【００６６】
本実施形態に係る湯治箱１は、第１のラドン導出管８７がボトル前ラドン導出管８７Ａとボトル後ラドン導出管８７Ｂに分けられている。そして、ボトル前ラドン導出管８７Ａは、その一端がラドン発生容器２内の空間に開口し、その他端が除菌ボトル９０内の除菌液９１（例えば、除菌手段としての次亜塩素酸液）内に開口している。また、ボトル後ラドン導出管８７Ｂは、その一端が除菌ボトル９０内の空間に開口し、その他端がポンプ８４の吸入ポート８６に接続されている。除菌ボトル９０は、容器収納ボックス５２の天板６１と扉５５との間の空間内に収容されている。そして、この除菌ボトル９０は、上部の開口部が栓９２（例えば、シリコンで形作られた栓）で密閉されている。栓９２は、除菌ボトル９０の上部の開口部に着脱可能に取り付けられ、ボトル前ラドン導出管８７Ａとボトル後ラドン導出管８７Ｂとが貫通している。また、除菌ボトル９０は、栓９２が着脱可能に取り付けられているため、栓９２を取り外すことにより、除菌液９１の注入又は排出を容易に行える。なお、除菌ボトル９０内の除菌液９１（除菌手段）は、大腸菌、レジオネラ菌、ノロウイルス、インフルエンザウイルス、セレウス菌等の各種菌及びウイルスの除去のために使用される。
【００６７】
このような構成の湯治箱１は、ポンプ８４が作動すると、ラドン発生容器２内の気体がボトル前ラドン導出管８７Ａを介して除菌ボトル９０の除菌液９１内に吸引され、除菌液９１を通過することによって除菌された気体が除菌ボトル９０の空間内に流出し、その除菌ボトル９０の空間内の除菌された気体がボトル後ラドン導出管８７Ｂを介してポンプ８４内に吸引された後、その除菌された気体がポンプ８４から第２のラドン導出管８９に送り出されるようになっている。これにより、利用者は、除菌後の気体をラドンと共に吸引できる。
【００６８】
なお、本実施形態に係る湯治箱１は、除菌手段として除菌液９１（例えば、次亜塩素酸液）を例示したが、これに限られず、除菌手段として除菌用金属（例えば、銅線、銅材で形成されたフィルタ）等を除菌ボトル９０内に収容してもよい。
【００６９】
また、本実施形態に係る湯治箱１は、ポンプ８４と同様に、除菌ボトル９０を扉５５の上面に設置するか、又は容器収納ボックス５２外の任意の位置に配置してもよい。
【００７０】
また、本実施形態に係る湯治箱１は、除菌ボトル９０をアロマオイル収容ボトルとして使用し、その内部に除菌液９１の代わりにアロマオイルを収容し、ラドン吸入の効果と共に、アロマオイルの効能を同時に得ることが可能である。
【００７１】
また、本実施形態に係る湯治箱１は、ラドン発生容器２に逆止弁９３を設置し、ラドン発生容器２内の圧力が所定圧力値以下に減圧した場合に、外気が逆止弁９３を介してラドン発生容器２内に導入されるように構成してもよい。
【００７２】
（第９実施形態の第１変形例）
図２１（ａ）は、第９実施形態の第１変形例に係る湯治箱１の一部を簡略化して示す図である。なお、本変形例に係る湯治箱１は、第９実施形態の湯治箱１の構成と共通する構成部分に同一符号を付し、重複した説明を省略する。
【００７３】
図２１（ａ）に示すように、本変形例に係る湯治箱１は、第９実施形態に係る湯治箱１の除菌ボトル９０に代えて除菌ボックス９４を配置し、この除菌ボックス９４に設置した紫外線発生装置（除菌手段）９５から照射される紫外線（ＵＶ−Ｃ）で除菌ボックス９４内の気体を除菌するようになっている。なお、除菌ボックス９４は、ＵＶ−Ｃの照射で劣化し難いガラスで形成される。また、紫外線発生装置は、例えば、紫外線ＬＥＤが使用される。そして、紫外線発生装置９５は、ポンプ８４と同時に通電されるようになっている。
【００７４】
このような構成の湯治箱１は、ポンプ８４が作動すると、ラドン発生容器２内の気体がボトル前ラドン導出管８７Ａを介して除菌ボックス９４内に吸引され、除菌ボックス９４内の気体が紫外線発生装置９５から照射される紫外線（ＵＶ−Ｃ）で除菌され、その除菌ボックス９４内の除菌された気体がボトル後ラドン導出管８７Ｂを介してポンプ８４内に吸引された後、その除菌された気体がポンプ８４から第２のラドン導出管８９に送り出されるようになっている。これにより、利用者は、除菌後の気体をラドンと共に吸引できる。
【００７５】
（第９実施形態の第２変形例）
図２１（ｂ）は、第９実施形態の第２変形例に係る湯治箱１の一部を簡略化して示す図である。なお、本変形例に係る湯治箱１は、第９実施形態の湯治箱１の構成と共通する構成部分に同一符号を付し、重複した説明を省略する。
【００７６】
図２１（ｂ）に示すように、本変形例に係る湯治箱１は、第９実施形態に係る湯治箱１の除菌ボトル９０に代えて除菌ボックス９４を配置し、この除菌ボックス９４に設置したオゾン発生装置（除菌手段）９６から供給されるオゾンで除菌ボックス９４内の気体を除菌するようになっている。なお、オゾン発生装置９６は、ポンプ８４と同時に作動するようになっている。
【００７７】
このような構成の湯治箱１は、ポンプ８４が作動すると、ラドン発生容器２内の気体がボトル前ラドン導出管８７Ａを介して除菌ボックス９４内に吸引され、除菌ボックス９４内の気体がオゾン発生装置９６から供給されるオゾンで除菌され、その除菌ボックス９４内の除菌された気体がボトル後ラドン導出管８７Ｂを介してポンプ８４内に吸引された後、その除菌された気体がポンプ８４から第２のラドン導出管８９に送り出されるようになっている。これにより、利用者は、除菌後の気体をラドンと共に吸引できる。
【符号の説明】
【００７８】
１……湯治箱、２……ラドン発生容器、３，５２……容器収納ボックス、１４……シートヒータ（容器加熱手段）、１８……開閉弁、２０……ラドン導出管、２１……放射性物質含有鉱石、２２……水、２３……開口部、２４……蓋部材、５１……容器加熱手段、５３……冷却手段、８４……ポンプ
【図１】
2017154562.tif 000003
【図２】
2017154562.tif 000004
【図３】
2017154562.tif 000005
【図４】
2017154562.tif 000006
【図５】
2017154562.tif 000007
【図６】
2017154562.tif 000008
【図７】
2017154562.tif 000009
【図８】
2017154562.tif 000010
【図９】
2017154562.tif 000011
【図１０】
2017154562.tif 000012
【図１１】
2017154562.tif 000013
【図１２】
2017154562.tif 000014
【図１３】
2017154562.tif 000015
【図１４】
2017154562.tif 000016
【図１５】
2017154562.tif 000017
【図１６】
2017154562.tif 000018
【図１７】
2017154562.tif 000019
【図１８】
2017154562.tif 000020
【図１９】
2017154562.tif 000021
【図２０】
2017154562.tif 000022
【図２１】
2017154562.tif 000023
【国際調査報告】
2017154562.tif 000024
2017154562.tif 000025
2017154562.tif 000026
2017154562.tif 000027